(57)【要約】  性的刺激装置は、バイブレータユニットが内部に収容されるケーシング（２）と、装置をペニスに対して保持するための把持肢部（６，７）の形態を成す接続手段とを備える。接続手段が接続面（Ｐ）内でペニスの周囲を延び、ケーシング（２）の長手方向軸が接続面（Ｐ）に対して傾けられ、それにより、使用時、ケーシング（２）がペニスに沿って延び且つペニスから離れて延びる。
2009542274.tif 000002
【特許請求の範囲】
【請求項１】
ケーシングであって、該ケーシング内で該ケーシングの長手方向軸に沿って延び、回転駆動可能な偏心質量が設けられる電気モータを含んで該電気モータの動作が振動を引き起こすバイブレータユニットが配置されたケーシングと、
ペニスに接続するために前記ケーシングの端部に隣接してケーシングに接続される接続手段と、を備え、
前記接続手段は、接続面内でペニスの周囲に延びるように配置され、
前記ケーシングの長手方向軸が前記接続面に対して傾けられ、
前記ケーシングが、使用時に、ペニスに沿って延び、且つ、ペニスから離れて延びる、性的刺激装置。
【請求項２】
前記ケーシングの長手方向軸は、使用時、前記接続面に対して２０°〜４５°の範囲の角度で配置される請求項１に記載の装置。
【請求項３】
前記ケーシングの長手方向軸は、前記ケーシングと前記接続手段との間の接続領域で前記接続手段の隣接部に対して略垂直である請求項１または２に記載の装置。
【請求項４】
前記偏心質量は、前記接続手段から離れた前記ケーシングの端部に位置される請求項１〜３のいずれか一項に記載の装置。
【請求項５】
前記ケーシングが概して長球として形成される請求項１〜４のいずれか一項に記載の装置。
【請求項６】
前記ケーシングの外面には、クリトリスを刺激するための盛り上がった突出部が設けられる請求項１〜５のいずれか一項に記載の装置。
【請求項７】
前記突出部が隆起部を含む請求項６に記載の装置。
【請求項８】
前記ケーシングの外面上に複数の隆起部が設けられる請求項７に記載の装置。
【請求項９】
前記隆起部の少なくとも一部が前記ケーシングの外面上の共通領域から広がる請求項８に記載の装置。
【請求項１０】
前記接続手段が把持手段を成す請求項１〜９のいずれか一項に記載の装置。
【請求項１１】
把持力を与えるために前記把持手段と係合される少なくとも１つの弾性要素を更に備える請求項１０に記載の装置。
【請求項１２】
前記弾性要素が前記把持手段内及び／又は前記ケーシング内に位置される請求項１１に記載の装置。
【請求項１３】
前記把持手段及び／又は前記ケーシングが前記弾性要素の周囲に成形される請求項１１または１２に記載の装置。
【請求項１４】
前記弾性要素は、約２０００〜２５００ＭＰａの範囲の曲げ弾性率を有する材料を備える請求項１１〜１３のいずれか一項に記載の装置。
【請求項１５】
前記弾性要素がポリカーボネートを備える請求項１１〜１４のいずれか一項に記載の装置。
【請求項１６】
前記ケーシング及び／又は前記接続手段は、約１５〜３５の範囲のショアＡ硬さを有する材料を備える請求項１〜１５のいずれか一項に記載の装置。
【請求項１７】
前記ケーシング及び／又は前記接続手段が水素化スチレンイソプレン／ブタジエンブロック共重合体を備える請求項１〜１６のいずれか一項に記載の装置。
【請求項１８】
前記バイブレータユニットは、
電気モータおよび偏心質量が内部に位置されるハウジングと、
前記電気モータに対して電力を供給するために前記ハウジング内に配置されるバッテリと、
前記バッテリの極を前記電気モータの第１の電極に対して接続するための導電体と、
前記バッテリの他の極を前記電気モータの第２の電極に対して接続するためのスイッチと、を備え、
前記スイッチは、前記電気モータをＯＮに切り換えるために１つの方向に押圧可能で且つ前記電気モータをＯＦＦに切り換えるために同じ方向に押圧可能な双安定作動手段を含む請求項１〜１７のいずれか一項に記載の装置。
【請求項１９】
前記スイッチは、前記電気モータと前記バッテリとの間に形成されるキャビティ内に位置される請求項１８に記載の装置。
【請求項２０】
第１の接点手段が前記スイッチを前記バッテリの他の極に対して接続する請求項１８または１９に記載の装置。
【請求項２１】
前記第１の接点手段が金属プレートを成す請求項２０に記載の装置。
【請求項２２】
第２の接点手段が前記スイッチを前記電気モータの第２の電極に対して接続する請求項１８〜２１のいずれか一項に記載の装置。
【請求項２３】
前記第２の接点手段が金属プレートを成す請求項２２に記載の装置。
【請求項２４】
前記スイッチの前記作動手段は、使用時にペニスから離れて面するバイブレータユニットの側へと位置される請求項１８〜２３のいずれか一項に記載の装置。
【請求項２５】
前記ケーシングが弾性スリーブを備え、該弾性スリーブ内へ前記バイブレータユニットが挿入される請求項１８〜２４のいずれか一項に記載の装置。
【請求項２６】
前記ケーシングの端部が閉じられ、それにより、前記ケーシングが前記バイブレータユニットの端部を取り囲む請求項１８〜２５のいずれか一項に記載の装置。
【請求項２７】
前記ケーシングは、前記バイブレータユニットの操作ボタンを除き、前記バイブレータユニットの全体を取り囲む請求項１８〜２６のいずれか一項に記載の装置。
【請求項２８】
前記ケーシングは、前記作動手段に隣接して位置される穴を形成する請求項１８〜２７のいずれか一項に記載の装置。
【請求項２９】
前記バイブレータユニットが事前に組み立てられた部品として前記ケーシング内に挿入される請求項１〜２８のいずれか一項に記載の装置。
【請求項３０】
前記バイブレータユニットが前記穴を通じて前記ケーシング内に挿入される請求項２８に記載の装置。
【請求項３１】
前記バイブレータユニットのハウジングが一対の略半円筒状のハーフシェルを備える請求項１８〜３０のいずれか一項に記載の装置。
【請求項３２】
前記ハウジングがエンドキャップを備える請求項１８〜３１のいずれか一項に記載の装置。
【請求項３３】
前記ハウジングは、前記作動手段上に載置する弾性的に押し下げ可能なシール要素を備える請求項１８〜３２のいずれか一項に記載の装置。
【請求項３４】
前記シール要素がゴム材料を備える請求項３３に記載の装置。
【請求項３５】
前記バッテリの極を前記電気モータの第１の電極に対して接続する前記導電体が前記ハウジングの内面に沿って延び、前記バッテリおよび前記電気モータが前記ケーシングの両端に隣接して位置される請求項１８〜３４のいずれか一項に記載の装置。
【請求項３６】
前記作動手段は、前記スイッチを操作するために前記バイブレータユニットの長手方向軸に対して垂直な方向に押圧されるようになっている請求項１８〜３５のいずれか一項に記載の装置。
【請求項３７】
複数のバッテリがハウジング内に配置され、これらのバッテリが互いに対して直列に或いは並列に接続される請求項１８〜３６のいずれか一項に記載の装置。
【請求項３８】
ケーシングを備える性的刺激装置であって、該ケーシング内にはバイブレータユニットが配置され、前記バイブレータユニットは、回転駆動可能な偏心質量が設けられる電気モータを備え、それにより、前記電気モータの動作が振動を引き起こし、ペニスを受け入れて前記装置をペニスに対して接続するために前記ケーシングに接続される弾性的に柔軟な把持手段を備え、該把持手段が不連続部を含む、性的刺激装置。
【請求項３９】
前記把持手段が第１および第２の肢部を備え、前記不連続部が前記肢部の自由端間に位置される請求項３８に記載の装置。
【請求項４０】
前記不連続部が前記ケーシングから離れた前記肢部の端部間に位置される請求項３９に記載の装置。
【請求項４１】
前記肢部が前記ケーシングに対して対称に配置される請求項４０に記載の装置。
【請求項４２】
前記ケーシングから離れた各肢部の部分が肢部の基端領域よりも幅が広くなっている請求項３９〜４１のいずれか一項に記載の装置。
【請求項４３】
前記把持手段の内周面が略円筒状であり、それにより、部分的なシースが形成される請求項３８〜４２のいずれか一項に記載の装置。
【請求項４４】
前記把持手段および前記ケーシングが一体に形成される請求項３８〜４２のいずれか一項に記載の装置。
【請求項４５】
前記ケーシングは、前記ケーシングと前記接続手段との間の接続領域で前記把持手段に対して略垂直な長手方向軸を有する請求項３８〜４４のいずれか一項に記載の装置。
【請求項４６】
前記把持手段は、使用時に前記ケーシングの長手方向軸がペニスに沿って向けられ且つペニスから離れて向けられるように前記ケーシングの長手方向軸に対して方向付けられる請求項４５に記載の装置。
【請求項４７】
把持力を与えるために前記把持手段と係合される少なくとも１つの弾性要素を更に備える請求項３８〜４６のいずれか一項に記載の装置。
【請求項４８】
前記弾性要素が前記把持手段内及び／又は前記ケーシング内に位置される請求項４７に記載の装置。
【請求項４９】
前記把持手段及び／又は前記ケーシングが前記弾性要素の周囲に成形される請求項４７または４８に記載の装置。
【請求項５０】
前記弾性要素は、約２０００〜２５００ＭＰａの範囲の曲げ弾性率を有する材料を備える請求項４７〜４９のいずれか一項に記載の装置。
【請求項５１】
前記弾性要素がポリカーボネートを備える請求項４７〜５０のいずれか一項に記載の装置。
【請求項５２】
前記ケーシング及び／又は前記把持手段は、約１５〜３５の範囲のショアＡ硬さを有する材料を備える請求項３８〜５１のいずれか一項に記載の装置。
【請求項５３】
前記ケーシング及び／又は前記接続手段が水素化スチレンイソプレン／ブタジエンブロック共重合体を備える請求項３８〜５２のいずれか一項に記載の装置。
【請求項５４】
添付図面を参照して本明細書中でほぼ説明された性的刺激装置。
【発明の詳細な説明】
【技術分野】
【０００１】
本発明は性的刺激装置に関する。
【背景技術】
【０００２】
従来技術では、様々な性的刺激装置が知られている。例えば、いわゆる電気コンドームリングは、ペニス上にわたって取り付けるための弾性リングを備えており、該リングに対して電気振動装置が接続される。振動装置をＯＮおよびＯＦＦするためにスイッチが設けられる。
【０００３】
特許文献１は、必要に応じて装置を破断できるようにするためのウィークポイントとして作用する一対のくびれを有する弾性ループを弾性リングが備える電気コンドームリングを開示している。弾性ループが破断されると、コンドームリングを再使用することができない。電気振動装置は、弾性ループに対して接線方向で接続され、クリトリスを刺激するための突起を有する。
【先行技術文献】
【特許文献】
【０００４】
【特許文献１】英国特許第２４１４９３８号
【発明の概要】
【発明が解決しようとする課題】
【０００５】
本発明は、ケーシングを備える性的刺激装置であって、該ケーシング内にバイブレータユニットが配置され、前記バイブレータユニットが、回転駆動可能な偏心質量が設けられる電気モータを備え、それにより、前記電気モータの動作が振動を引き起こし、ペニスを受け入れて前記装置をペニスに対して接続するために前記ケーシングに接続される弾性的に柔軟な把持手段を備え、該把持手段が不連続部を含む、性的刺激装置を提供する。
【課題を解決するための手段】
【０００６】
不連続部を含むことにより、装置のユーザは、ペニスを引き抜く必要なく或いは把持手段を破壊することなく、性交中にペニスから装置を除去することができる。したがって、装置の再使用が妨げられない。また、引き抜く必要なく、装置を性交中に再びペニスに接続することができる。
【０００７】
把持手段が好ましくは略等しい長さの第１および第２の肢部を備え、肢部の自由端間に不連続部が位置されることが好ましい。ケーシングから離れた各肢部の部分が肢部の基端領域よりも幅が広くなっていることが有益であり、それにより、ペニスに対する装置の確実で安定した接続が促進される。
【０００８】
クリトリスを刺激するため、ケーシング上に１つ以上の隆起部が設けられてもよく、特に、隆起部は、ケーシングの外面上の共通領域から広がってもよい。
【０００９】
好ましくは、バイブレータユニットは、電気モータおよび偏心質量が内部に位置されるハウジングと、電気モータに対して電力を供給するためにハウジング内に配置されるバッテリと、バッテリの極を電気モータの第１の電極に対して接続するための導電体と、バッテリの他の極を電気モータの第２の電極に対して接続するためのスイッチとを備え、前記スイッチは、電気モータをＯＮに切り換えるために１つの方向に押圧可能で且つ電気モータをＯＦＦに切り換えるために同じ方向に押圧可能な双安定作動手段を備える。
【００１０】
これにより、ユーザは、装置をＯＮするために作動手段を押すだけで済むとともに、再び押すだけで装置をＯＦＦにできるため、スイッチを操作するのが特に簡単となる。装置の不測のＯＮ切り換えを回避するため、作動手段を装置上に位置させることができるのが有益である。同じ方向に押圧することによって作動手段がバイブレータユニットをＯＮおよびＯＦＦさせることにより、装置が誤ってＯＮに切り換えられる場合に、誤って再びＯＦＦに切り換えられる可能性が従来技術の装置よりも高くなり有益である。バイブレータユニットをケーシング内に配置することにより、バイブレータユニットが流体から保護され、それにより、バイブレータユニット内での短絡防止に役立ち、したがって、装置が衛生的にもなる。
【００１１】
スイッチの作動手段は、使用時にペニスから離れて面するバイブレータユニットの側へと位置させることができるのが有益であり、それにより、使用中に作動手段が誤ってノックされる可能性が低くなる。これにより、使用中に装置の不注意なＯＮまたはＯＦＦの切り替えを予防することができる。
【００１２】
本発明の第２の態様では、ケーシングを備える性的刺激装置であって、該ケーシング内にケーシングの長手方向軸に沿って延びるようにバイブレータユニットが配置され、バイブレータユニットが、回転駆動可能な偏心質量が設けられる電気モータを備え、それにより、電気モータの動作が振動を引き起こし、装置をペニスに接続するためにケーシングの一端に隣接してケーシングに接続される接続手段を備え、該接続手段が、接続面内でペニスの周囲に延びるように配置され、ケーシングの長手方向軸が接続面に対して傾けられ、それにより、使用時、ケーシングがペニスに沿って延び且つペニスから離れて延びる、性的刺激装置が提供される。
【００１３】
ペニスに対してケーシングの方向が傾けられることにより、ケーシングがクリトリスと特に効果的に係合し、この係合が従来技術の装置よりも長期にわたり、有益である。これは、ケーシングが、従来技術の装置から予期され得る単純な押し突き動作ではなく、クリトリスのある程度の擦れ合いを与えるために、膣に対するペニスの動作範囲を超える傾向を有しているからである。
【００１４】
ケーシングの長手方向軸は、ケーシングと接続手段との間の接続領域で接続手段に対して略垂直であることが好ましい。このようにすれば、ケーシングが使用時にクリトリスの方を向く。
【００１５】
偏心質量を接続手段から離れたケーシングの端部に位置させることができ、それにより、振動がケーシングのその端部で更に著しくなることが有益である。
【００１６】
本発明のいずれの態様においても、性的刺激装置は、複雑な操作手続きを必要とする複数の別個の部品を使用することなく、内蔵型装置を成すことができる。
【００１７】
ここで、添付図面を参照して、本発明の実施形態を一例として詳しく説明する。
【図面の簡単な説明】
【００１８】
【図１】本発明に係る性的刺激装置の背面図である。
【図２】図１の装置の線Ａ−Ａに沿う断面図である。
【図３】図１の装置の後側斜視図である。
【図４】図１の装置の側方斜視図である。
【図５】図１に示される装置で使用されるバイブレータユニットの分解図である。
【図６】スイッチがＯＦＦされた状態のバイブレータユニットの内部部品を示している。
【図７】スイッチがＯＮされた状態のバイブレータユニットの内部部品を示している。
【図８】バイブレータユニットの簡略化された概略回路図を示している。
【図９】バイブレータユニットで使用されるスイッチを斜視図で示している。
【図１０】本発明に係る装置の好ましい実施形態を斜視図で示している。
【発明を実施するための形態】
【００１９】
図１〜図４に示される性的刺激装置１は、弾性スリーブを形成する柔軟なゴム材料から形成されるケーシング２を備えている。ケーシング２内にはバイブレータユニットが位置されている。使用時にペニスに面するケーシングの側と正反対のケーシングの上側には、ＯＮ／ＯＦＦプッシュボタン３がある。ボタン３は、菱形形状を成すとともに、弾性的に圧縮できるシール要素を備えており、該シール要素は、水を通さないようにするため、随意的にケーシング２内のバイブレータユニットに対してシールされてもよい。あるいは、シールが耐水性であってもよい。ケーシング２は穴を形成しており、この穴を通じてボタン３が突出するが、必ずしも穴を最後まで貫通するとは限らない。このように、ケーシングは、バイブレータユニットのボタン３を除いて、バイブレータユニットの全てを覆う。製造時、バイブレータユニットは穴を通じてケーシング内に挿入される。別の方法として、ケーシング２およびボタン３を一体にすることができ、それにより、防水シールが保証される。これにより、例えばバイブレータユニットの周囲にケーシングを成形するなど、ケーシング２内にバイブレータユニットを配置する異なる方法が必要となる。
【００２０】
接続手段５が、ケーシング２に接続されるとともに、第１および第２の肢部６，７の形態を成す弾性的に柔軟な把持手段５を成す。把持手段の材料の途切れとして形成される不連続部４は、把持手段５を、互いに対称な第１および第２の肢部６，７へと分ける。不連続部４は、ケーシングから離れた肢部６，７の自由端同士の間に位置している。この構造によれば、装置は、それを上方へ引き上げることによってペニスから非常に急速に且つ容易に取り除くことができる。しかしながら、把持手段の側部の方へ不連続部を位置させ、それにより、装置を横方向に引き離すこともできる。図示のように、肢部６，７は、ケーシングに対して対称であり、すなわち、線Ａ−Ａ周りに対称である。肢部６，７の端部は、それらの間に小さな隙間を有しているが、もう１つの方法として、互いに接触していてもよい。一対の肢部６，７は、接続面Ｐ内にペニスを受け入れるように構成される。把持肢部は、ペニスを受け入れないときに、それらの弾性によって、それらの不使用位置へと確実に戻る。
【００２１】
肢部６，７はケーシングから離れた自由端部８を含んでおり、これらの自由端部８は肢部の基端領域９よりも幅が広い。各肢部６，７の内周面は略平坦または略円筒状であり、それにより、ペニスの周囲に部分的なシースが形成される。肢部６，７は、ペニスの長さに沿ってある程度まで延びることにより、ペニスに対して装置を安定に且つ確実に接続する。肢部６，７は接続面Ｐに対して曲げられており、それにより、肢部６，７の先端部８がペニスに沿ってある程度まで前方を向き、これによっても、装置が安定する。
【００２２】
バイブレータユニット４０はケーシング２内に配置される。ケーシング２は、一般に、把持肢部６，７がケーシング２と出会う領域を除き、長球として形成される。隆起部１１がケーシング２から突出し、これらの隆起部１１は一連の渦巻き状に配置されており、各隆起部１１は一巡して元に戻り、隆起部１１の多くがボタン３から広がっている。隆起部１１のレイアウトは、美的に訴えかけており、クリトリスを刺激するのに役立つ。
【００２３】
ケーシングは、図２および図４に破線によって表わされる長手方向軸Ｃを有しており、この長手方向軸Ｃは、ケーシング２と肢部６，７との間の接続領域１０で肢部６，７に対して略垂直である。図１を参照すると、ケーシングは、接続領域１０で線Ｂ−Ｂに対して垂直に見える。更に、ケーシングの長手方向軸Ｃは接続面Ｐに対して傾けられている。したがって、ケーシング２は、装置がペニス上に正しく配置されると、クリトリスと位置が合って、クリトリスと効果的に係合する。
【００２４】
図４に示される破線Ｄは、使用時におけるペニスの装置に対する方向、すなわち、接続面Ｐに対して略垂直な方向を表わす。接続面がケーシング２の長手方向軸Ｃに対して傾けられる肢部６，７によって規定されると、使用時、ケーシングの長手方向軸は、前方および上方を向き、すなわち、ペニスに沿い且つペニスから離れる。接続面に対するケーシングの長手方向軸Ｃの傾き角度は２０°〜４５°の範囲をとることができる。
【００２５】
図５に分解された形態で示されるバイブレータユニット４０は、第１および第２の略半円筒状のハーフシェル４１，４２から組み立てられるハウジングを備える。ハーフシェル４１，４２の少なくとも一方は、ハウジングの内容物を所定位置に保持する役目を果たす内部リブ５３を含む。ハーフシェル４１，４２はその端部にそれぞれのネジ部５１，５２を含み、これらのネジ部は、ハーフシェル４１，４２が接合されるときにネジ部５１，５２がネジ付き管状コネクタを形成するように配置され、該コネクタは、これに対してエンドキャップ、例えばネジ蓋４５を取り付けることができるとともに、シェル４１，４２を互いに保持する役目を果たしてもよい。これに代えて或いはこれに加えて、ハウジングのハーフシェル４１，４２が互いにスナップ嵌合してもよい。第１のハーフシェル４１上には操作ボタン３が位置される。
【００２６】
ハウジング４１，４２内に収容される部品は、電気モータ４３、スイッチ５４、および、１つ以上のバッテリ４４（本実施形態では、２つのバッテリ）、並びに、様々な電気接点である。電気モータは、その出力駆動シャフトに偏心質量５５が接続されており、それにより、電気モータの動作が振動を引き起こす。細長い金属ストリップを成す導電体５０は、電気モータの第１の電極、すなわち、モータ４３の金属ハウジングの側面を成す第１の電極を、バッテリの金属ケーシングの側面によって形成されるバッテリ４４の極に対して接続する。電気モータとバッテリとの間に形成されるキャビティ内には、電気モータ４３をＯＮおよびＯＦＦに切り換えるためのスイッチ５４が位置されている。スイッチ５４は、該スイッチを操作して電気モータ４３をＯＮするためにユーザにより押し下げられるプッシュボタン４７を成す双安定作動手段４７を含む。電気モータ４３をＯＦＦに切り換えるため、ユーザはプッシュボタン４７を再び押し下げる。無論、実際には、ユーザは、プッシュボタン４７に直接に隣接して位置されるバイブレータユニットハウジング上の弾性ゴムボタン３を押し下げる。スイッチ５４の両側には、第１および第２の金属接点プレートを成す第１および第２の接点手段４８，４９が設けられている。第１の金属プレート４８は、電気モータの長手方向端面上に位置される電気モータの極５４とスイッチの第１の端子６１との間の電気的な接続を確立し（図５参照）、一方、第２の金属プレート４９は、バッテリ４４の端面によって形成されるバッテリ４４の極とスイッチ５４の第２の端子６２との間の電気的な接続を確立する。金属プレート４８，４９の主な目的は、規格部品であるスイッチ５４を自分の意のままに特定の用途に適合させることである。金属プレート４８，４９は、良好な電気的接続を行なうため、それらが接触する部品に対して弾性的に押し付けられる接触部を含んでいてもよい。２つのハウジングシェル４１，４２によって形成されるネジ付き管状コネクタの周囲にはＯリング４６が配置され、このＯリングはハウジングとネジ蓋４５との間の接続をシールする役目を果たす。蓋４５と反対側の端部に隣接するハウジングの周囲には環状溝が延びており、この環状溝は、外側ケーシング内のバイブレータユニットの配置を助けるためにケーシングの内側に成形されるリブを受けてもよい。
【００２７】
図６および図７には、バイブレータユニットの内部構造部品が互いに組み立てられた状態で示されている。この場合、スイッチ５４は、図６では“ＯＦＦ”状態にあり、図７では“ＯＮ”状態にある。スイッチ５４の作動ボタン４７は、２つの接触端子６１，６２間の隙間を埋める図７に示される位置へと移動できる導電スイッチプレート６６に対してスプリング６５によって接続され、それにより、電気モータをＯＮに切り換えるための回路が完成される。スイッチの内側には、作動ボタン４７を双安定にするためのラッチ手段があり、それにより、スイッチは、スイッチ接点プレート６６が図６の“ＯＦＦ”位置に戻るように作動ボタンが再び押し下げられるまでＯＮ状態のままとなる。導電体５０は、電気モータ４３の側面と接触するための第１の湾曲部と、バッテリ４４の側面と接触するための第２の湾曲部６４とを有する。
【００２８】
図８は、スイッチ５４と、バッテリ４４と、電気モータ４３との間の電気的接続を概略的に示す簡単な回路図である。本実施形態では、２つのバッテリ４４が直列に接続されているが、低出力の振動を引き起こすために、バッテリを互いに並列に接続することもできる。これに関し、ユーザが例えばプッシュボタン３を押圧することによってバッテリの直列接続または並列接続の間を選択できるようにバイブレータユニットの内部部品を配置することができる。
【００２９】
図９は、第１および第２の接点プレート４８，４９（図５に示される形態と僅かに異なる形態を成す）と、電気端子６１，６２と、作動手段４７とを含むスイッチ５４の詳細を示している。スイッチのハウジングはプラスチック材料から形成され、一方、接点プレートおよび端子は金属製である。
【００３０】
図１０は、把持力を与えるために把持手段７と係合される例えばブラケットの形態を成す弾性要素３０を含む、図１〜図４に示される性的刺激装置１の好ましい形態を示している。弾性要素３０は、ペニス上に配置されるときに増大された把持力を与えることによって装置の安定性を高め、それにより、使用中に装置がペニスの周囲で回転し或いは滑り落ちる可能性を減らす。また、増大された把持力は、血液がペニス内に保持されるようにすることによって、ペニスの勃起状態の維持に役立ってもよい。好ましい実施形態では、弾性要素３０が装置内に位置され、また、特に、装置１のケーシング２及び／又は把持手段７を弾性要素３０の周囲に成形することができる。これは、装置１内における弾性要素３０の頑丈な一体化を確保するとともに、簡単且つ便利なプロセスを用いて装置を製造できるようにする。弾性要素は、弾性要素の他の部分よりも厚い断面を有する部分３１を有しており、これは、把持手段に対して付加的な弾力を付与することができる。図１０は単一の弾性要素３０を示しているが、複数の弾性要素を有することもできる。例えば、各把持肢部に個々の弾性要素を設けることができる。
【００３１】
弾性要素は、約２０００〜２５００ＭＰａの範囲の曲げ弾性率を有する材料を備える。この範囲の値は、ユーザを不快にするような強さとなることなく使用時に装置を所定位置に保持するのに十分な最適な強度の把持力を与えると考えられる。ポリカーボネートは、弾性要素３０を形成するために使用できる材料の一例であり、特に、未充填ポリカーボネート（ｕｎｆｉｌｌｅｄ  ｐｏｌｙｃａｒｂｏｎａｔｅ）が使用されてもよい。具体的には、２４１０ＭＰａの曲げ弾性率を有するＣａｌｉｂｒｅ（ＲＴＭ）３０１Ｖ−１０ポリカーボネート樹脂が使用される。
【００３２】
装置１のケーシング２および把持手段７を製造するために使用される材料に関し、約１５〜３５の範囲のショアＡ硬さを有する材料が好ましい。使用されてもよい１つのタイプの材料は、水素化スチレンイソプレン／ブタジエンブロック共重合体である。この範囲付近の値の硬度を有する任意の他の熱可塑性ゴムまたはエラストマーは、それが射出成形に適している限り、ふさわしい。特定の好ましい材料は、２５のショアＡ硬さを有するＳｅｐｔｏｎ（ＲＴＭ）４０３３である。
【図１】
2009542274.tif 000003
【図２】
2009542274.tif 000004
【図３】
2009542274.tif 000005
【図４】
2009542274.tif 000006
【図５】
2009542274.tif 000007
【図６】
2009542274.tif 000008
【図７】
2009542274.tif 000009
【図８】
2009542274.tif 000010
【図９】
2009542274.tif 000011
【図１０】
2009542274.tif 000012
【手続補正書】
【提出日】平成20年7月23日(2008.7.23)
【手続補正１】
【補正対象書類名】明細書
【補正対象項目名】００１２
【補正方法】変更
【補正の内容】
【００１２】
本発明の第２の態様では、ケーシングを備える性的刺激装置であって、該ケーシング内にケーシングの長手方向軸に沿って延びるようにバイブレータユニットが配置され、バイブレータユニットが、回転駆動可能な偏心質量が設けられる電気モータを備え、それにより、電気モータの動作が振動を引き起こし、装置をペニスに接続するためにケーシングの一端に隣接してケーシングに接続される接続手段を備え、該接続手段が、接続面内でペニスの周囲に延びるように配置され、ケーシングの長手方向軸が接続面に対して傾けられ、ケーシングの長手方向軸が、該ケーシングがクリトリスに接触するよう、使用時に、ペニスに沿って前方に延び、且つ、ペニスから離れて延びる、性的刺激装置が提供される。
【手続補正２】
【補正対象書類名】特許請求の範囲
【補正対象項目名】全文
【補正方法】変更
【補正の内容】
【特許請求の範囲】
【請求項１】
ケーシングであって、該ケーシング内で該ケーシングの長手方向軸に沿って延び、回転駆動可能な偏心質量が設けられる電気モータを含んで該電気モータの動作が振動を引き起こすバイブレータユニットが配置されたケーシングと、
ペニスに接続するために前記ケーシングの端部に隣接してケーシングに接続される接続手段と、を備え、
前記接続手段は、接続面内でペニスの周囲に延びるように配置され、
前記ケーシングの長手方向軸が前記接続面に対して傾けられ、
前記ケーシングの長手方向軸が、該ケーシングがクリトリスに接触するよう、使用時に、ペニスに沿って前方に延び、且つ、ペニスから離れて延びる、性的刺激装置。
【請求項２】
前記ケーシングの長手方向軸は、使用時、前記接続面に対して２０°〜４５°の範囲の角度で配置される請求項１に記載の装置。
【請求項３】
前記ケーシングの長手方向軸は、前記ケーシングと前記接続手段との間の接続領域で前記接続手段の隣接部に対して略垂直である請求項１または２に記載の装置。
【請求項４】
前記接続手段は、使用時に、前記装置をペニスに対して実質的に静止させるよう保持する請求項１〜３のいずれか一項に記載の装置。
【請求項５】
前記偏心質量は、前記接続手段から離れた前記ケーシングの端部に位置される請求項１〜３のいずれか一項に記載の装置。
【請求項６】
前記ケーシングが概して長球として形成される請求項１〜５のいずれか一項に記載の装置。
【請求項８】
前記突出部が隆起部を含む請求項７に記載の装置。
【請求項９】
前記ケーシングの外面上に複数の隆起部が設けられる請求項８に記載の装置。
【請求項１０】
前記隆起部の少なくとも一部が前記ケーシングの外面上の共通領域から広がる請求項９に記載の装置。
【請求項１１】
前記接続手段が把持手段を成す請求項１〜１０のいずれか一項に記載の装置。
【請求項１２】
前記把持手段が不連続部を含む、請求項１１に記載の性的刺激装置。
【請求項１３】
把持力を与えるために前記把持手段と係合される少なくとも１つの弾性要素を更に備える請求項１１または１２に記載の装置。
【請求項１４】
前記弾性要素が前記把持手段内及び／又は前記ケーシング内に位置される請求項１３に記載の装置。
【請求項１５】
前記把持手段及び／又は前記ケーシングが前記弾性要素の周囲に成形される請求項１３または１４に記載の装置。
【請求項１６】
前記弾性要素は、約２０００〜２５００ＭＰａの範囲の曲げ弾性率を有する材料を備える請求項１３〜１５のいずれか一項に記載の装置。
【請求項１７】
前記弾性要素がポリカーボネートを備える請求項１３〜１６のいずれか一項に記載の装置。
【請求項１８】
前記ケーシング及び／又は前記接続手段は、約１５〜３５の範囲のショアＡ硬さを有する材料を備える請求項１〜１７のいずれか一項に記載の装置。
【請求項１９】
前記ケーシング及び／又は前記接続手段が水素化スチレンイソプレン／ブタジエンブロック共重合体を備える請求項１〜１８のいずれか一項に記載の装置。
【請求項２０】
前記バイブレータユニットは、
電気モータおよび偏心質量が内部に位置されるハウジングと、
前記電気モータに対して電力を供給するために前記ハウジング内に配置されるバッテリと、
前記バッテリの極を前記電気モータの第１の電極に対して接続するための導電体と、
前記バッテリの他の極を前記電気モータの第２の電極に対して接続するためのスイッチと、を備え、
前記スイッチは、前記電気モータをＯＮに切り換えるために１つの方向に押圧可能で且つ前記電気モータをＯＦＦに切り換えるために同じ方向に押圧可能な双安定作動手段を含む請求項１〜１９のいずれか一項に記載の装置。
【請求項２１】
前記スイッチは、前記電気モータと前記バッテリとの間に形成されるキャビティ内に位置される請求項２０に記載の装置。
【請求項２２】
第１の接点手段が前記スイッチを前記バッテリの他の極に対して接続する請求項２０または２１に記載の装置。
【請求項２３】
前記第１の接点手段が金属プレートを成す請求項２２に記載の装置。
【請求項２４】
第２の接点手段が前記スイッチを前記電気モータの第２の電極に対して接続する請求項２０〜２３のいずれか一項に記載の装置。
【請求項２５】
前記第２の接点手段が金属プレートを成す請求項２４に記載の装置。
【請求項２６】
前記スイッチの前記作動手段は、使用時にペニスから離れて面するバイブレータユニットの側へと位置される請求項２０〜２５のいずれか一項に記載の装置。
【請求項２７】
前記ケーシングが弾性スリーブを備え、該弾性スリーブ内へ前記バイブレータユニットが挿入される請求項２０〜２６のいずれか一項に記載の装置。
【請求項２８】
前記ケーシングの端部が閉じられ、それにより、前記ケーシングが前記バイブレータユニットの端部を取り囲む請求項２０〜２７のいずれか一項に記載の装置。
【請求項２９】
前記ケーシングは、前記バイブレータユニットの操作ボタンを除き、前記バイブレータユニットの全体を取り囲む請求項２０〜２８のいずれか一項に記載の装置。
【請求項３０】
前記ケーシングは、前記作動手段に隣接して位置される穴を形成する請求項２０〜２９のいずれか一項に記載の装置。
【請求項３１】
前記バイブレータユニットが事前に組み立てられた部品として前記ケーシング内に挿入される請求項１〜３０のいずれか一項に記載の装置。
【請求項３２】
前記バイブレータユニットが前記穴を通じて前記ケーシング内に挿入される請求項３０に記載の装置。
【請求項３３】
前記バイブレータユニットのハウジングが一対の略半円筒状のハーフシェルを備える請求項２０〜３２のいずれか一項に記載の装置。
【請求項３４】
前記ハウジングがエンドキャップを備える請求項２０〜３３のいずれか一項に記載の装置。
【請求項３５】
前記ハウジングは、前記作動手段上に載置する弾性的に押し下げ可能なシール要素を備える請求項２０〜３４のいずれか一項に記載の装置。
【請求項３６】
前記シール要素がゴム材料を備える請求項３５に記載の装置。
【請求項３７】
前記バッテリの極を前記電気モータの第１の電極に対して接続する前記導電体が前記ハウジングの内面に沿って延び、前記バッテリおよび前記電気モータが前記ケーシングの両端に隣接して位置される請求項２０〜３６のいずれか一項に記載の装置。
【請求項３８】
前記作動手段は、前記スイッチを操作するために前記バイブレータユニットの長手方向軸に対して垂直な方向に押圧されるようになっている請求項２０〜３７のいずれか一項に記載の装置。
【請求項３９】
複数のバッテリがハウジング内に配置され、これらのバッテリが互いに対して直列に或いは並列に接続される請求項２０〜３８のいずれか一項に記載の装置。
【請求項４０】
ケーシングを備える性的刺激装置であって、該ケーシング内にはバイブレータユニットが配置され、前記バイブレータユニットは、回転駆動可能な偏心質量が設けられる電気モータを備え、それにより、前記電気モータの動作が振動を引き起こし、ペニスを受け入れて前記装置をペニスに対して接続するために前記ケーシングに接続される弾性的に柔軟な把持手段を備え、該把持手段が不連続部を含む、性的刺激装置。
【請求項４１】
前記把持手段が第１および第２の肢部を備え、前記不連続部が前記肢部の自由端間に位置される請求項４０に記載の装置。
【請求項４２】
前記不連続部が前記ケーシングから離れた前記肢部の端部間に位置される請求項４１に記載の装置。
【請求項４３】
前記肢部が前記ケーシングに対して対称に配置される請求項４２に記載の装置。
【請求項４４】
前記ケーシングから離れた各肢部の部分が肢部の基端領域よりも幅が広くなっている請求項４１または４２のいずれか一項に記載の装置。
【請求項４５】
前記把持手段の内周面が略円筒状であり、それにより、部分的なシースが形成される請求項４０〜４４のいずれか一項に記載の装置。
【請求項４６】
前記把持手段および前記ケーシングが一体に形成される請求項４０〜４５のいずれか一項に記載の装置。
【請求項４７】
前記ケーシングは、前記ケーシングと前記接続手段との間の接続領域で前記把持手段に対して略垂直な長手方向軸を有する請求項４０〜４６のいずれか一項に記載の装置。
【請求項４８】
前記把持手段は、使用時に前記ケーシングの長手方向軸がペニスに沿って向けられ且つペニスから離れて向けられるように前記ケーシングの長手方向軸に対して方向付けられる請求項４７に記載の装置。
【請求項４９】
把持力を与えるために前記把持手段と係合される少なくとも１つの弾性要素を更に備える請求項４０〜４８のいずれか一項に記載の装置。
【請求項５０】
前記弾性要素が前記把持手段内及び／又は前記ケーシング内に位置される請求項４９に記載の装置。
【請求項５１】
前記把持手段及び／又は前記ケーシングが前記弾性要素の周囲に成形される請求項４９または５０に記載の装置。
【請求項５２】
前記弾性要素は、約２０００〜２５００ＭＰａの範囲の曲げ弾性率を有する材料を備える請求項４９〜５１のいずれか一項に記載の装置。
【請求項５３】
前記弾性要素がポリカーボネートを備える請求項４９〜５２のいずれか一項に記載の装置。
【請求項５４】
前記ケーシング及び／又は前記把持手段は、約１５〜３５の範囲のショアＡ硬さを有する材料を備える請求項４０〜５３のいずれか一項に記載の装置。
【請求項５５】
前記ケーシング及び／又は前記接続手段が水素化スチレンイソプレン／ブタジエンブロック共重合体を備える請求項４０〜５４のいずれか一項に記載の装置。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
ケーシングであって、該ケーシング内で該ケーシングの長手方向軸に沿って延び、回転駆動可能な偏心質量が設けられる電気モータを含んで該電気モータの動作が振動を引き起こすバイブレータユニットが配置されたケーシングと、
ペニスに接続するために前記ケーシングの端部に隣接してケーシングに接続される接続手段と、を備え、
前記接続手段は、接続面内でペニスの周囲に延びるように配置され、
前記ケーシングの長手方向軸が前記接続面に対して傾けられ、
前記ケーシングの長手方向軸が、該ケーシングがクリトリスに接触するよう、使用時に、ペニスに沿って前方に延び、且つ、ペニスから離れて延びる、性的刺激装置。
【請求項２】
前記ケーシングの長手方向軸は、使用時、前記接続面に対して２０°〜４５°の範囲の角度で配置される請求項１に記載の装置。
【請求項３】
前記ケーシングの長手方向軸は、前記ケーシングと前記接続手段との間の接続領域で前記接続手段の隣接部に対して略垂直である請求項１または２に記載の装置。
【請求項４】
前記ケーシングの外面には、クリトリスを刺激するための盛り上がった突出部が設けられる請求項１〜３のいずれか一項に記載の装置。
【請求項５】
前記ケーシングの外面上に複数の隆起部が設けられ、
前記隆起部の少なくとも一部が前記ケーシングの外面上の共通領域から広がる請求項４に記載の装置。
【請求項６】
前記接続手段が、不連続部を含む把持手段を成す請求項１〜５のいずれか一項に記載の装置。
【請求項７】
前記把持手段が第１および第２の肢部を備え、
前記不連続部が前記肢部の自由端間に位置され、
前記ケーシングから離れた各肢部の部分が、肢部の基端領域よりも幅が広くなっている、請求項６に記載の装置。
【請求項８】
前記把持手段および前記ケーシングが一体に形成される請求項６または７に記載の装置。
【請求項９】
把持力を与えるために前記把持手段と係合され、例えばポリカーボネートを含む少なくとも１つの弾性要素を更に備える請求項６〜８のいずれか一項に記載の装置。
【請求項１０】
前記弾性要素が前記把持手段内及び／又は前記ケーシング内に位置される請求項９に記載の装置。
【請求項１１】
前記弾性要素は、約２０００〜２５００ＭＰａの範囲の曲げ弾性率を有する材料を備える請求項７または８に記載の装置。
【請求項１２】
前記ケーシング及び／又は前記接続手段は、約１５〜３５の範囲のショアＡ硬さを有する材料を備える請求項１〜１１のいずれか一項に記載の装置。
【請求項１３】
前記ケーシング及び／又は前記接続手段が水素化スチレンイソプレン／ブタジエンブロック共重合体を備える請求項１〜１２のいずれか一項に記載の装置。
【請求項１４】
前記バイブレータユニットは、
電気モータおよび偏心質量が内部に位置されるハウジングと、
前記電気モータに対して電力を供給するために前記ハウジング内に配置されるバッテリと、
前記バッテリの極を前記電気モータの第１の電極に対して接続するための導電体と、
前記バッテリの他の極を前記電気モータの第２の電極に対して接続するためのスイッチと、を備え、
前記スイッチは、前記電気モータをＯＮに切り換えるために１つの方向に押圧可能で且つ前記電気モータをＯＦＦに切り換えるために同じ方向に押圧可能な双安定作動手段を含み、
前記スイッチは、前記電気モータと前記バッテリとの間に形成されるキャビティ内に位置される請求項１〜１３のいずれか一項に記載の装置。
【請求項１５】
前記スイッチの前記作動手段は、使用時にペニスから離れて面するバイブレータユニットの側へと位置される請求項１４に記載の装置。
【国際調査報告】
2009542274.tif 000013
2009542274.tif 000014
2009542274.tif 000015
2009542274.tif 000016
2009542274.tif 000017
2009542274.tif 000018